(57)【特許請求の範囲】
【請求項１】
用紙基材の表面に固有情報が印刷され、裏面の所定部分に透かし情報が印刷される情報形成シートであって、
前記用紙基材の表面、裏面となる一方面又は両方面の全面又は所定部分に地紋を形成させる共に、前記裏面に印刷される前記透かし情報を白色インキに紙色以外の当該紙色と異なる有色顔料インキを混合させた紫外線硬化型の印刷インキにより形成させ、前記表面側から光に透かしたときに当該透かし情報を視認させることを特徴とする情報形成シート。
【発明の詳細な説明】
【技術分野】
【０００１】
本発明は、透かし情報が形成される情報形成シートに関する。
【背景技術】
【０００２】
近年、情報形成シートの代表的なものとして、保険証書や偽造防止のための透かし情報が形成された金券証書類等が知られている。これら証書類は、主に厚紙が使用されることが多く、透かし効果を最適とさせる透かし情報を形成させることが望まれる。
【０００３】
従来、透かしが形成されたシートとして、特許文献１に示されているような帳票用紙がある。この透かし入り帳票用紙は、紙面上に白色顔料として酸化チタンを含有する紫外線硬化型紙色インキからなる紙色の遮光インキを部分的に印刷することで透かしを形成させたものである。
【０００４】
【特許文献１】特許第３４４４５３５号公報
【発明の概要】
【発明が解決しようとする課題】
【０００５】
しかしながら、特許文献１の帳票用紙は、遮光インキが紙色であることから、使用される用紙の紙厚が厚くなるほど、特に印刷面の反対面からの透かし効果が薄れるという問題がある。例えば、紙厚９０μｍ以上の用紙の場合には透かし効果が得られなかった。
【０００６】
そこで、本発明は上記課題に鑑みなされたもので、厚紙に対して透かし効果を最適とさせる情報形成シートを提供することを目的とする。
【課題を解決するための手段】
【０００７】
上記課題を解決するために、請求項１の発明では、用紙基材の表面に固有情報が印刷され、裏面の所定部分に透かし情報が印刷される情報形成シートであって、前記用紙基材の表面、裏面となる一方面又は両方面の全面又は所定部分に地紋を形成させる共に、前記裏面に印刷される前記透かし情報を白色インキに紙色以外の当該紙色と異なる有色顔料インキを混合させた紫外線硬化型の印刷インキにより形成させ、前記表面側から光に透かしたときに当該透かし情報を視認させる構成とする。
【発明の効果】
【０００８】
本発明によれば、用紙基材の表面、裏面となる一方面又は両方面の全面又は所定部分に地紋を形成させる共に、当該用紙基材の裏面に、透かし情報を、白色インキに紙色以外の当該紙色と異なる有色顔料インキを混合させた紫外線硬化型の印刷インキにより形成させ、用紙基材の表面側から光に透かしたときに当該透かし情報を視認させる構成とすることにより、厚紙に対して透かし情報による透かし効果を最適とさせることができるものである。
【図面の簡単な説明】
【０００９】
【図１】本発明に係る情報形成シートの構成図である。
【図２】図１の情報形成シートの製造説明図である。
【発明を実施するための形態】
【００１０】
以下、本発明の実施形態を図により説明する。
図１に、本発明に係る情報形成シートの構成図を示す。図１（Ａ）は情報形成シートの斜視図、図１（Ｂ）は図１（Ａ）のＡ−Ａ断面図であるが、図１（Ｂ）は構成を容易に示すために寸法等を無視して示している。図１（Ａ）、（Ｂ）において、情報形成シート１１は、用紙基材１２の表面１２Ａ上の例えば全面に地紋１３が形成されたものたものである。この用紙基材１２は、１２０Ｋｇ／ｍ2のものが使用され、厚さが略１８０μｍのものである。
【００１１】
また、用紙基材１２は、本実施形態では、全体的に薄いベージュ色のものを使用し、地紋１３を薄いオレンジ色で印刷により施したものを使用している。当該地紋１３は、表面、裏面となる一方面又は両方面で施してもよく、また、全面又は所定部分に施してもよい。
【００１２】
上記用紙基材１２の表面１２Ａに施された地紋１３上には、シート固有の固有情報１４が紙色とは異なる色で形成される。また、用紙基材１２の裏面１２Ｂの所定位置に透かし情報（例えば「Ａ」の文字）１５が紫外線硬化型の印刷インキにより形成される。なお、透かし情報１５には、デザイン、パターン、文字、図形等のあらゆる形態がある。
【００１３】
上記透かし情報１５を印刷する紫外線硬化型の印刷インキは、ここでは、白インキに、紙色以外の有色インキとして、例えば黒インキを混合させたものが使用される。詳細には、総重量１Ｋｇの白インキとして二酸化チタンの白色顔料４００ｇ（４０％）を含有（残りは一般的な紫外線硬化樹脂の量となる）させたものであり、総重量２ｇの黒インキとして有色顔料カーボンブラックの黒色顔料０．３ｇ（１５％）を含有（残りは一般的な紫外線硬化樹脂の量となる）させたものである。印刷インキ全体における顔料比率は、白色顔料１００％に対して黒色顔料０．０７５％となる。なお、上記用紙基材１２及び第２紙片１３の積層厚紙体の紙厚（略１８０μｍ）に対して、上記白色インキに３ｇの黒色インキ（黒色顔料の含有率１５％）を含有させた場合には、透かし情報１５による透かし効果は満足のいくものではなかった。
【００１４】
白色顔料としては、亜鉛華、鉛白、リトポン、二酸化チタン、沈降性硫酸バリウムおよびバライト粉が知られているが、光の透過性を考慮すれば二酸化チタンが好ましい。有色顔料としては、黒色顔料（カーボンブラック）の他に、赤色顔料（鉛丹、酸化鉄赤）、黄色顔料（黄鉛、亜鉛黄（亜鉛黄１種、亜鉛黄２種））、青色顔料（ウルトラマリン青、プロシア青（フェロシアン化鉄カリ））等があり、紙色に応じて適宜選択される。なお、顔料として、有機顔料、無機顔料などを問わない。
【００１５】
そこで、図２に、図１の情報形成シートの製造説明図を示す。まず、図２（Ａ）に示すように、地紋１３が表面１２Ａの全面に形成された枚葉の用紙基材１２が切取線２２で連設された連続シート２１が使用される。当該連続シート２１の表面１２Ａにおける地紋１３上の所定部分に、図２（Ｂ）に示すように、固有情報１４が紙色（薄いベージュ色）以外の色（例えば、カーボンブラックの黒色）の印刷インキで一般的なオフセット印刷、スクリーン印刷、インクジェット印刷によりで印刷される。
【００１６】
上記固有情報の印刷が定着（熱定着）された後、図２（Ｃ）に示すように、連続シート２１の裏面１２Ｂの所定部分に、上記の紫外線硬化型印刷インキを用いて、透かし情報（「Ａ」）１５をオフセット印刷、スクリーン印刷、インクジェット印刷などにより、ここでは通常の盛厚として１μｍで印刷され、紫外線照射により硬化させて定着させる。
【００１７】
そして、図２（Ｄ）に示すように、連続シート２１を切取線２２で切り取ることで図１に示す枚葉の情報形成シート１１となるものである。この情報形成シート１１は、用紙基材１２の固有情報１４が形成された表面１２Ａ側からは、通常では透かし情報１５を視認することができず、光に透かしたときに当該透かし情報１５が視認されるものである。
【００１８】
なお、図２では、固有情報１４を印刷した後に、透かし情報１５を印刷させる工程を示したが、順番を規定するものでなく、何れを先に印刷してもよい。
【００１９】
このように、用紙基材裏面の所定部分に白色インキに紙色以外の有色インキを混合させた紫外線硬化型の印刷インキにより透かし情報を形成させることから、少なくとも厚さ略１８０μｍまでの厚紙に対して透かし情報による透かし効果を最適とさせることができるものである。特に、前述の特許文献１の透かし情報入り帳票用紙に対しては、少なくとも９０μｍ〜１８０μｍの紙厚で最適な透かし効果を得ることができるものである。
【００２０】
まお、情報形成シート１１に形成された透かし情報１５は、地紋１３によって偽造が極めて困難であると共に、複写機等によっても認識が困難であり、偽造防止効果をも奏するものである。反面、真贋判定の観点からは、上記紫外線硬化型印刷インキに特定波長に反応する部材を含有させることにより、機械的な真贋判定を可能とさせることができるものである。
【産業上の利用可能性】
【００２１】
本発明の情報形成シートは、各種証明書等の他に、種々のチケット、金券類やレシート等に利用可能である。
【符号の説明】
【００２２】
１１            情報形成シート
１２            用紙基材
１３            地紋
１４            固有情報
１５            透かし情報
２１            連続シート
２２            切取線
【図１】
0005615072.tif 000002
【図２】
0005615072.tif 000003